(57)【要約】【課題】透明又は半透明の樹脂体やガラス体のワークの内部描画像をＬＥＤを用い照明させて美観の向上を図ると共に、ワークを回転させ、かつＬＥＤの照度や回転体の回転形態を変化させることにより一層の美観の向上と、観察者に安らぎを与え、かつ照明表示体としても適用可能な透明ワークの照明体を提供する。【解決手段】照明台本体２の上面に回転可能に支持される回転板３の中央部に内部描画像２２ａを有するワーク２２が搭載される。切換スイッチ１６等を作動させることにより回転板３及びワーク２２が回転する。このワーク２２の内部描画像２２ａは単色又は多色のＬＥＤ５により照明され美観を生じさせる。【選択図】図１
0003107744.tif 000002
【実用新案登録請求の範囲】
【請求項１】
内部に画像を描画する透明又は半透明の樹脂体又はガラス体（以下、ワークという）を搭載し該ワークの照明をするための照明台又は照明器具（以下、照明体という）であって、該照明体は、単色又は多色のＬＥＤ及び回転機構部とこれ等のコントロール部とを収納する照明台本体と、該照明台本体の上面に回転可能に支持され前記ＬＥＤと対峙する位置に窓部を形成しその表面に前記ワークを支持する搭載部を形成し前記回転機構部により回転駆動される回転体と、前記ＬＥＤ及び回転機構部及びこれ等のコントロール部を駆動する電源部とを有するものからなり、前記ワークは前記窓部に臨む位置に搭載されることを特徴とする透明ワークの照明体。
【請求項２】
前記回転板が、前記窓部を除く部分に鏡面部を形成するものからなることを特徴とする請求項１に記載の透明ワークの照明体。
【請求項３】
前記ＬＥＤ及び回転機構部のコントロール部が、前記ＬＥＤの点灯，照度及び前記回転体の回転をコントロールするものからなることを特徴とする請求項１に記載の透明ワークの照明体。
【請求項４】
前記ＬＥＤ及び回転機構部のコントロール部が、ＬＥＤの点灯と回転体の回転を同時に行う第１のコントロールと、ＬＥＤの点灯も回転体の回転も行わない第２のコントロールと、ＬＥＤの点灯と回転体の回転停止を行う第３のコントロールとを有するものからなることを特徴とする請求項３に記載の透明ワークの照明体。
【請求項５】
前記ＬＥＤ及び前記回転機構部のコントロール部が、前記ＬＥＤの照度及び前記回転体の回転をユラギ状に可変にコントロールすることを特徴とする請求項３に記載の透明ワークの照明体。
【請求項６】
前記照明台本体が、その一部に手で把持可能な細長の把持部を形成するものからなることを特徴とする請求項１乃至４のいずれかに記載の透明ワークの照明体。
【考案の詳細な説明】
【技術分野】
【０００１】
本考案は、各種形状の樹脂体やガラス体であって、その内部に画像を描画してなるワークを照明して美観や表示性を向上させるための透明ワークの照明体に関する。
【背景技術】
【０００２】
通常、透明や半透明の樹脂体やガラス体の内部描画をライトアップする手段としては、樹脂体やガラス体（ワーク）の外部から電球やＬＥＤ等の照明具によりライトアップする各種の照明器具が採用されている。また、ワークを搭載してその内部画像を照明するための照明台として「特許文献１」が開示されている。
【特許文献１】実用新案登録第３０９４５０４号（図１）
【考案の開示】
【考案が解決しようとする課題】
【０００３】
「特許文献１」の実用新案登録第３０９４５０４号の「レンズ付き商品陳列台」は中央にレンズ付きの光照射用窓を有し台内にＬＥＤを設け、前記光照射用窓の上に搭載されたワークをＬＥＤにより照射し、ワークの美観の上げるものである。
【０００４】
前記の公知技術の陳列台は内部描画のあるワークの画像を美しく照明表示する機能を有するものであるが、ワークは単に陳列台上に静止状態で搭載されているに過ぎず、ワークの内部描画像をワークの周囲の任意の位置から観察することができない問題点がある。また、ワークを回転するものであっても単に一定回転で回転するのみでなく、その回転数が色々の形態に可変することにより、一層の美観の向上とやすらぎを与えることが可能であるが、従来品では以上の各種機能を有するものはなかった。
【０００５】
本考案は、以上の事情に鑑みて考案されたものであり、内部描画像を有する樹脂体またはガラス体の画像の美観を一層向上させると共に表示体としての表示機能の向上を図り、観察者に安らぎを与え多用の範囲に使用できる透明ワークの照明体を提供することを目的とする。
【課題を解決するための手段】
【０００６】
本考案は、以上の目的を達成するために、請求項１の考案は、内部に画像を描画する透明又は半透明の樹脂体又はガラス体（以下、ワークという）を搭載し該ワークの照明をするための照明台又は照明器具（以下、照明体という）であって、該照明体は、単色又は多色のＬＥＤ及び回転機構部とこれ等のコントロール部とを収納する照明台本体と、該照明台本体の上面に回転可能に支持され前記ＬＥＤと対峙する位置に窓部を形成しその表面に前記ワークを支持する搭載部を形成し前記回転機構部により回転駆動される回転体と、前記ＬＥＤ及び回転機構部及びこれ等のコントロール部を駆動する電源部とを有するものからなり、前記ワークは前記窓部に臨む位置に搭載されることを特徴とする。
【０００７】
また、請求項２の考案は、前記回転板が、前記窓部を除く部分に鏡面部を形成するものからなることを特徴とする。
【０００８】
また、請求項３の考案は、前記ＬＥＤ及び回転機構部のコントロール部が、前記ＬＥＤの点灯，照度及び前記回転体の回転を可変にコントロールするものからなることを特徴とする。
【０００９】
また、請求項４の考案は、前記ＬＥＤ及び回転機構部のコントロール部が、ＬＥＤの点灯と回転体の回転を同時に行う第１のコントロールと、ＬＥＤの点灯も回転体の回転も行わない第２のコントロールと、ＬＥＤの点灯と回転体の回転停止を行う第３のコントロールとを有するものからなることを特徴とする。
【００１０】
また、請求項５の考案は、前記ＬＥＤ及び前記回転機構部のコントロール部が、前記ＬＥＤの照度及び前記回転体の回転をユラギ状に可変にコントロールすることを特徴とする。  
【００１１】
また、請求項６の考案は、前記照明台本体が、その一部に手で把持可能な細長の把持部を形成するものからなることを特徴とする。
【考案の効果】
【００１２】
本考案の請求項１の透明ワークの照明体によれば、照明台本体の上面に回転体を支持し、この上面にワークを搭載し、回転体の窓部をＬＥＤで照射し、ワークの照明を行うようにし、更にワークを回転させ照明体のどの位置からもワーク内の画像を観察でき、美観の一層の向上を図ることができる。なお、ＬＥＤ及び回転機構部はすべて照明台本体内に収納され、全体としてコンパクトに形成される。
【００１３】
また、本考案の請求項２の透明ワークの照明体によれば、回転板はその表面に鏡面部が形成され、回転する鏡面部の存在により一層の美観の向上が図れる。
【００１４】
また、本考案の請求項３の透明ワークの照明体によれば、ＬＥＤの点灯，照度や回転板の回転が可変のものからなり、美観の向上が図れる。
【００１５】
また、本考案の請求項４の透明ワークの照明体によれば、ＬＥＤと回転機構部との点灯や回転の態様が第１から第３のコントロールの如く変化し形態の自由度の向上が図れる。
【００１６】
また、本考案の請求項５の透明ワークの照明体によれば、ＬＥＤの照度や回転板の回転がユラギ状に変化し、これにより周辺の観察者にやすらぎを与えることができる。
【００１７】
また、本考案の請求項６の透明ワークの照明体によれば、照明台本体に把持部を設けることにより、この照明体を持ち歩きでき、各種の表示体として用いることができ、用途の一層の拡大が図れる。
【考案を実施するための最良の形態】
【００１８】
以下、本考案の透明ワークの照明体の実施の形態を図面を参照して詳述する。図１及び図２は本考案の透明ワークの照明体の全体概要構造を示す断面図及び上面図であり、図３は本考案の請求項５に対応する実施例を示すものである。
【実施例１】
【００１９】
図１及び図２に示すように、透明ワークの照明体１は、大別して上面側に開口部２ａを形成し底板２ｂ及び中間板２ｃを形成する照明台本体２と、この開口部２ａを閉止し、中間板２ｃの中央部に枢支されその中央に窓部３ａを有する回転体の１つである回転板３と、回転板３を回転させるための回転機構部４と、単色又は多色のＬＥＤ５と、ＬＥＤ５や回転機構部４等を駆動するための電源部６等とからなる。
【００２０】
照明台本体２は中間板２ｃと底板２ｂとの間に空間部２ｄを有するものからなり、この空間部２ｄに回転機構部４やＬＥＤ５及び電源部６の一部が収納されている。また、中間板２ｃの中心には回転板３を枢支するための軸受部７が形成される。
【００２１】
回転板３は、軸受部７に枢支されるボス部８を下方に向かって突出形成する回転体からなり、上面には平面部９（搭載部の１つである）を形成し、その中央部に窓部３ａを有するものからなる。なお、本実施例では平面部９上に鏡板１０が載置されている。また、鏡板１０の中央部は窓部３ａを露出させる透明部１０ａ（又はレンズ面）を形成する。また、回転板３のボス部８には大歯車１１が固定され、この大歯車１１の外周の歯部１１ａの一部を臨むことのできる位置において貫通孔１２が中間板２ｃに形成される。
【００２２】
回転機構部４は、モータ１３やこれに連結するプーリ及び歯車群１４と、コントロール部１５等とからなり、モータ１３は電源部６や切換スイッチ１６に連結される。なお、プーリ及び歯車群１４の一部であるピニオンギヤ１４ａは貫通孔１２を通り抜けて回転板３の大歯車１１の歯部１１ａに噛合する。また、切換スイッチ１６はモータ１３とＬＥＤ５に電通する３つのボタン（Ａ，Ｂ，Ｃ）からなる。この切換スイッチ１６の３つのボタンのＯＮ，ＯＦＦにより次ぎの３つの態様のコントロールが行われる。即ち、第１のコントロールはＡボタンによるものでＬＥＤ５が点灯する共に回転体が回転する態様である。また、第２のコントロールはＢボタンによるものでＬＥＤ５の点灯もなく回転体の回転もない停止の態様である。また、第３のコントロールはＣボタンによるものでＬＥＤ５のみ点灯し回転体が停止する態様である。このような態様の変化により形態の自由度が向上し、照明体としての一層の機能向上が図れる。
【００２３】
ＬＥＤ５は、本実施例では７個のＬＥＤからなるが、勿論これに限定するものではない。ＬＥＤ５はコントロール部１７により単色や多色に切換可能に形成され、その照度も可変にコントロールすべく形成される。また、ＬＥＤ５は差込口１８を介してインバータ１９やＡＣ１００Ｖへの差込みプラグ２０に連結される。また、ＡＣ電源を用いる替りに照明台本体２には電池２１が電源部６として挿着されるものもある。なお、電池２１はＬＥＤ５や回転機構部４側に電通されていることは勿論である。
【００２４】
図１に示すように、ワーク２２は回転板３の鏡板１０の透明部１０ａ上に搭載される。このワーク２２は透明又は半透明の樹脂体（例えば、アクリル）やガラス体からなり、内部には、例えばレーザ加工により内部描画像２２ａを形成するものからなる。
【００２５】
ＡＣ電源や電池２１等からなる電源部６に切換スイッチ１６やコントロール部１５，１７を連結した後、切換スイッチ１６を作動させることにより回転機構部１４が作動し、同時にＬＥＤ５が点灯する。勿論、回転機構部４を作動させないでＬＥＤ５のみを点灯させることもできる。これにより、回転板３上に搭載されるワーク２２がＬＥＤ５に照明されながら回転し、その内部描画像２２ａが綺麗に照明される。従来技術のものはワーク２２が回転しないため内部描画像２２ａが一部の方向からしか見られなかったが、本考案の場合は周囲のいずれの位置からも内部描画像２２ａをよく見ることができる。また、ＬＥＤ５は各種の色に変化させることができ、これに伴って内部描画像２２ａの色を変化させることができる。また、鏡板１０に内部描画像２２ａが投影され一層の美観の向上が図れる。
【００２６】
回転機構部４のモータ１３は通常は一定の回転数で回転するが、コントロール部１５のコントロールにより、回転数を変化させることも可能であり、回転中に回転数を変化させることも可能である。また、回転数の変化やユラギ状として、ユラギ状の照明光を内部描画像２２ａに生じさせることも可能である。以上により観察者に安らぎを感じさせることができる。また、ＬＥＤ５のコントロール部１７はＬＥＤ５の色を変化させるのみならず、その照度を可変にコントロールする機能を有する。また、ユラギ状に照度を変化させることもできる。これにより美観の向上と安らぎ感を生じさせることができる。
【実施例２】
【００２７】
図３は本考案の別の実施例を示すものである。この透明ワークの照明体１ａは、構成としては前記の実施例１の透明ワークの照明体１ａと基本的に同一のものからなるが、照明台本体２Ａの形状が前記の実施例１のものと大きく相違する。この照明台本体２Ａは細長の把持部２３を有するものからなる。例えば、照明台本体２Ａの上部に球状のワーク２２を固定させることによりワーク２２を回転させることが出来ると共に把持部２３を把持して全体を作動させることができる。これにより、照明する表示用の棒体として本考案の透明ワークの照明体を応用させることができる。例えば、サイン棒（照明棒）として適用され、野球やサッカー等の観覧席で照明棒として用いることができる。勿論、この透明ワークの照明体２Ａはそれ以外の照明表示体として広く用いることができる。
【産業上の利用可能性】
【００２８】
本考案の透明ワークの照明体は、以上の形態のものに限定するものではなく、同一技術的範疇のものと適用され、その用途は単に観賞用の照明体に限らず、照明表示体として各方面に広く使用される。
【図面の簡単な説明】
【００２９】
【図１】本考案の透明ワークの照明体の全体概要構造を示す断面図。
【図２】図１のＡ矢視の平面図。
【図３】照明表示体としての一例を示す模式断面図。
【符号の説明】
【００３０】
１      透明ワークの照明体
１ａ    透明ワークの照明体
２      照明台本体
２Ａ    照明台本体
２ａ    開口部
２ｂ    底板
２ｃ    中間板
２ｄ    空間部
３      回転板
３ａ    窓部
４      回転機構部
５      ＬＥＤ
６      電源部
７      軸受部
８      ボス部
９      平面部
１０    鏡板
１０ａ  透明部
１１    大歯車
１１ａ  歯部
１２    貫通孔
１３    モータ
１４    プーリ及び歯車群
１４ａ  ピニオンギャ
１５    コントロール部
１６    切換スイッチ
１７    コントロール部
１８    差込口
１９    インバータ
２０    差込みプラグ
２１    電池
２２    ワーク
２２ａ  内部描画像
２３    把持部
【図１】
0003107744.tif 000003
【図２】
0003107744.tif 000004
【図３】
0003107744.tif 000005